(57)【要約】【課題】計時精度を向上することができる時計用軸受、ムーブメントおよび携帯用時計を提供する。【解決手段】軸中心に回転する軸体１４３と、軸体の少なくとも一方の軸方向端部に設けられ、軸体を回転可能に支持する軸受体１８１と、を備えた時計用軸受１８０であって、軸体は、軸本体部１４０ａと、軸本体部の軸方向端部に形成されたホゾ部１４５と、を有し、軸受体は、ホゾ部が挿通される貫通孔１７２が形成された穴石１７１と、ホゾ部の軸方向端面１４８ａと対向配置された受石１７３と、受石の軸方向への移動を規制する係止バネ１８２と、穴石、受石および係止バネを内包する穴石枠体１７４と、を有し、軸受体は、枠体に対して軸方向および径方向に所定量移動可能に収容されており、穴石枠体および枠体の少なくともいずれか一方が磁性体で形成されており、他方における一方側に対向する位置であって、軸体の周方向に沿って永久磁石１７６が設けられている。【選択図】図４
2011185673.tif 000002
【特許請求の範囲】
【請求項１】
軸中心に回転する軸体と、
該軸体の少なくとも一方の軸方向端部に設けられ、前記軸体を回転可能に支持する軸受体と、を備えた時計用軸受であって、
前記軸体は、
軸本体部と、
該軸本体部の軸方向端部に形成されたホゾ部と、を有し、
前記軸受体は、
前記ホゾ部が挿通される貫通孔が形成された穴石と、
前記ホゾ部の軸方向端面と対向配置された受石と、
該受石の軸方向への移動を規制する係止バネと、
前記穴石、前記受石および前記係止バネを内包する穴石枠体と、を有し、
前記軸受体は、枠体に対して軸方向および径方向に所定量移動可能に収容されており、
前記穴石枠体および前記枠体の少なくともいずれか一方が磁性体で形成されており、他方における前記一方側に対向する位置であって、前記軸体の周方向に沿って永久磁石が設けられていることを特徴とする時計用軸受。
【請求項２】
前記穴石枠体および前記枠体がともに磁性体で形成されていることを特徴とする請求項１に記載の時計用軸受。
【請求項３】
前記軸本体部は前記ホゾ部よりも拡径されており、
前記枠体に形成された前記ホゾ部を挿通可能な貫通孔の孔径が、前記軸本体部の外形よりも小さく形成され、
前記軸本体部が前記枠体に当接することにより前記軸受体の軸方向への移動量が規制されていることを特徴とする請求項１に記載の時計用軸受。
【請求項４】
前記枠体および前記穴石枠体のいずれか一方に係止突起が形成されるとともに、他方に該係止突起と係止する係止凹部が形成され、
前記枠体に対して前記軸受体の軸方向の移動量が規制されていることを特徴とする請求項１または２に記載の時計用軸受。
【請求項５】
前記軸受体の軸方向への移動を弾性保持する弾性部材が配され、
前記枠体に対して前記軸受体の軸方向の移動量が規制されていることを特徴とする請求項１〜３のいずれかに記載の時計用軸受。
【請求項６】
香箱、番車、がんぎ車、アンクルおよびテンプを備えた時計のムーブメントであって、
少なくとも前記テンプの軸受に、請求項１〜４のいずれかに記載の時計用軸受が用いられていることを特徴とするムーブメント。
【請求項７】
請求項６に記載のムーブメントと、
該ムーブメントを内包するケーシングと、を備えていることを特徴とする携帯用時計。
【発明の詳細な説明】
【技術分野】
【０００１】
本発明は、時計用軸受、ムーブメントおよび携帯用時計に関するものである。
【背景技術】
【０００２】
従来から、腕時計や懐中時計などの携帯用時計に用いられる歯車などの回転する機械部品は、その回転軸端を内包するように軸受が配され、該回転軸が軸受にガイドされて回転し、トルクを伝達することにより、時刻を刻むように構成されている。このような時計用の軸受としては、図１４に示す耐震軸受や図１５に示す組合せ軸受が用いられている（例えば、非特許文献１参照）。
【０００３】
ここで、時計のテンプには、時計に衝撃が加わったときに、テンプの回転軸となるてん真の両端に形成されたホゾが破損するのを防ぐために耐震軸受が設けられている。図１６、図１７が従来の一般的な時計用軸受（耐震軸受）５８０の構成である。図１６、図１７に示すように、回転軸（てん真）５４３の軸方向端部には先細のホゾ５４５が形成されており、ホゾ５４５を内包するように軸受５８０が配されている。軸受５８０は、地板５６７に支持固定された枠体５６６と、枠体５６６に内包されて枠体５６６に対してスラスト方向およびラジアル方向に移動可能に配された穴石枠体５７４と、穴石枠体５７４の内周面５７４ａに支持固定されてホゾ５４５が挿通される貫通孔５７２が形成された穴石５７１と、ホゾ５４５の軸方向外側端部（ホゾ端面５４８ａ）を支持可能に構成された受石５７３と、受石５７３の軸方向外側への移動を規制する押えバネ５８２と、を備えている。押えバネ５８２は枠体５６６に支持固定されている。
【０００４】
このように構成された軸受５８０の回転軸５４３に対して軸方向の衝撃が加わったときには、ホゾ５４５が受石５７３を押して、押えバネ５８２の弾性変形により緩衝され、さらに回転軸５４３の大径部端面５４９が枠体５６６の底面５６６ｄに当接したところで移動が停止することで、ホゾ５４５の破損を防止している。
【０００５】
一方、回転軸５４３に対して軸方向に直交する方向（径方向）に衝撃が加わったときには、ホゾ５４５が穴石５７１を介して穴石枠体５７４および受石５７３を押し、穴石枠体５７４および受石５７３が枠体５６６の斜面５６６ｃをすべり上がった後、回転軸５４３の小径部５４６が枠体５６６の貫通孔５６６ｅに当接したところで移動が停止することで、ホゾ５４５の破損を防止している。さらに、衝撃が無くなったときには押えバネ５８２の弾性力により穴石枠体５７４および受石５７３は枠体５６６の斜面５６６ｃをすべり降りて元の位置に戻るように構成されている。
【先行技術文献】
【非特許文献】
【０００６】
【非特許文献１】スイス・フェデレーション・オブ・テクニカル・カレッジ（Swiss Federation of Technical Colleges）著、「ザ・セオリー・オブ・ホロロジー（The Theory of Horology）」、２００５年、ｐ．２９０−２９１
【発明の概要】
【発明が解決しようとする課題】
【０００７】
ところで、上述した従来の時計用軸受５８０において、軸受５８０が衝撃などにより動作した場合の外力と変位量との関係を図１８に示す。図１８に示すように、初期状態（軸受に衝撃が加わっていない状態）では押えバネ５８２により与圧Ｐ０がかかっており、外力がＰ０を超えると穴石枠体５７４および受石５７３の移動が始まる。さらに外力が大きくなると穴石枠体５７４および受石５７３の移動量も増加し、回転軸５４３の大径部端面５４９が枠体５６６に当接したところで移動が止まる。ここで、大径部端面５４９が当接する直前の外力をＰ１とすると、Ｐ１はホゾ５４５が破損する力Ｐ２よりも小さく設定する必要がある。また、Ｐ０が小さすぎると少しの外力が加わっただけで穴石枠体５７４および受石５７３の位置が動いてしまうため、Ｐ０はなるべく大きくしたい。つまり、Ｐ０とＰ１とを結ぶ線分の傾き（ばね定数）は小さい方が有利となる。
【０００８】
しかしながら、腕時計などでは軸受５８０に割けるスペースが限られており、実際には耐震軸受の外径は２ｍｍ程度である。したがって、押えバネ５８２のバネ長さを十分に確保することは困難であり、結果としてばね定数はある程度大きくなってしまう。この結果、Ｐ１の上限はＰ２よりも小さくする必要があるため、Ｐ０を小さく設定せざるを得なくなる。
つまり、従来の時計用軸受５８０では、少しの外力が加わっただけで穴石枠体５７４および受石５７３が移動してしまい、軸受５８０（テンプ）の振動が不安定となり、計時精度が低下するという問題がある。
【０００９】
そこで、本発明は、上述の事情に鑑みてなされたものであり、計時精度を向上することができる時計用軸受、ムーブメントおよび携帯用時計を提供するものである。
【課題を解決するための手段】
【００１０】
上記の課題を解決するために、本発明は以下の手段を提供する。
本発明に係る時計用軸受は、軸中心に回転する軸体と、該軸体の少なくとも一方の軸方向端部に設けられ、前記軸体を回転可能に支持する軸受体と、を備えた時計用軸受であって、前記軸体は、軸本体部と、該軸本体部の軸方向端部に形成されたホゾ部と、を有し、前記軸受体は、前記ホゾ部が挿通される貫通孔が形成された穴石と、前記ホゾ部の軸方向端面と対向配置された受石と、該受石の軸方向への移動を規制する係止バネと、前記穴石、前記受石および前記係止バネを内包する穴石枠体と、を有し、前記軸受体は、枠体に対して軸方向および径方向に所定量移動可能に収容されており、前記穴石枠体および前記枠体の少なくともいずれか一方が磁性体で形成されており、他方における前記一方側に対向する位置であって、前記軸体の周方向に沿って永久磁石が設けられていることを特徴としている。
【００１１】
このように構成することで、時計用軸受に衝撃が加わっていない状態では永久磁石の磁気吸引力が作用するため、与圧（上述のＰ０）を大きく設定することができる。したがって、少しの外力が加わっただけで軸受体が移動するのを防ぐことができる。また、軸受体の移動量を枠体に対して所定量移動可能に収容することにより、ホゾ部が破損する外力が加わる前に軸受体の移動量を規制するができる。したがって、計時精度を向上することができる。
【００１２】
また、本発明に係る時計用軸受は、前記穴石枠体および前記枠体がともに磁性体で形成されていることを特徴としている。
【００１３】
このように構成することで、外部への漏れ磁束を低減することができ、穴石枠体および枠体の近傍に配される磁性体からなる部品への磁気的影響を低減することができる。したがって、計時精度が低下するのを防止することができる。
【００１４】
また、本発明に係る時計用軸受は、前記軸本体部は前記ホゾ部よりも拡径されており、前記枠体に形成された前記ホゾ部を挿通可能な貫通孔の孔径が、前記軸本体部の外形よりも小さく形成され、前記軸本体部が前記枠体に当接することにより前記軸受体の軸方向への移動量が規制されていることを特徴としている。
【００１５】
このように構成することで、軸受体の軸方向への移動を確実に規制することができるため、軸受体からホゾ部（軸体）が抜けることによりホゾ部が破損してしまうのを確実に防止することができる。
【００１６】
また、本発明に係る時計用軸受は、前記枠体および前記穴石枠体のいずれか一方に係止突起が形成されるとともに、他方に該係止突起と係止する係止凹部が形成され、前記枠体に対して前記軸受体の軸方向の移動量が規制されていることを特徴としている。
【００１７】
このように構成することで、軸受体の軸方向への移動を確実に規制することができるため、軸受体からホゾ部（軸体）が抜けることによりホゾ部が破損してしまうのを確実に防止することができる。
【００１８】
また、本発明に係る時計用軸受は、前記軸受体の軸方向への移動を弾性保持する弾性部材が配され、前記枠体に対して前記軸受体の軸方向の移動量が規制されていることを特徴としている。
【００１９】
このように構成することで、軸受体の軸方向への移動を確実に規制することができるため、軸受体からホゾ部（軸体）が抜けることによりホゾ部が破損してしまうのを確実に防止することができる。
また、永久磁石の磁気吸引力は軸受体が枠体から離間する方向に移動すると小さくなり、弾性部材の反力は軸受体が枠体から離間する方向に移動すると大きくなる。したがって、永久磁石の磁気吸引力および弾性部材の弾性力の異なった特性を組み合わせることにより、軸受体にかかる力の変化を小さくすることができる。したがって、ホゾ部が破損する力よりも小さく、かつ、与圧を十分大きく設定することができるため、外力がかかっても枠体に対して軸受体が移動しにくくすることができるとともに、衝撃などにより枠体に対して軸受体が移動しても元の位置に確実に戻すことができる。
【００２０】
また、本発明に係るムーブメントは、香箱、番車、がんぎ車、アンクルおよびテンプを備えた時計のムーブメントであって、少なくとも前記テンプの軸受に、上述したいずれかに記載の時計用軸受が用いられていることを特徴としている。
【００２１】
このように構成することで、時計用軸受に衝撃が加わっていない状態では永久磁石の磁気吸引力が作用するため、与圧（上述のＰ０）を大きく設定することができる。したがって、少しの外力が加わっただけで軸受体が移動するのを防ぐことができる。また、軸受体の移動量を枠体に対して所定量移動可能に収容することにより、ホゾ部が破損する外力が加わる前に軸受体の移動量を規制するができる。したがって、計時精度を向上することができるムーブメントを提供することができる。
【００２２】
また、本発明に係る携帯用時計は、上述したムーブメントと、該ムーブメントを内包するケーシングと、を備えていることを特徴としている。
【００２３】
このように構成することで、時計用軸受に衝撃が加わっていない状態では永久磁石の磁気吸引力が作用するため、与圧（上述のＰ０）を大きく設定することができる。したがって、少しの外力が加わっただけで軸受体が移動するのを防ぐことができる。また、軸受体の移動量を枠体に対して所定量移動可能に収容することにより、ホゾ部が破損する外力が加わる前に軸受体の移動量を規制するができる。したがって、計時精度を向上することができる携帯用時計を提供することができる。
【発明の効果】
【００２４】
本発明に係る時計用軸受によれば、時計用軸受に衝撃が加わっていない状態では永久磁石の磁気吸引力が作用するため、与圧（上述のＰ０）を大きく設定することができる。したがって、少しの外力が加わっただけで軸受体が移動するのを防ぐことができる。また、軸受体の移動量を枠体に対して所定量移動可能に収容することにより、ホゾ部が破損する外力が加わる前に軸受体の移動量を規制するができる。したがって、計時精度を向上することができる。
【図面の簡単な説明】
【００２５】
【図１】本発明の実施形態における機械式時計のムーブメント表側の平面図である（一部の部品を省略し、受部材は仮想線で示している）。
【図２】本発明の実施形態における香箱からがんぎ車の部分を示す概略部分断面図である。
【図３】本発明の実施形態におけるがんぎ車からテンプの部分を示す概略部分断面図である。
【図４】図３のＡ部拡大図（軸受の第１の態様）である。
【図５】本発明の実施形態におけるテンプおよび軸受を示す斜視図である。
【図６】図５の軸受を示す分解斜視図である。
【図７】本発明の実施形態における第１の態様の軸受の軸体の変位量と反力（磁気吸引力）との関係を示すグラフである。
【図８】本発明の実施形態における軸受の第２の態様を示す平面図である。
【図９】図８のＢ−Ｂ線に沿う断面図である。
【図１０】本発明の実施形態における軸受ユニットの第３の態様を示す断面図（図３のＡ部に相当）である。
【図１１】本発明の実施形態における第３の態様の軸受の軸体の変位量と反力（合成値）との関係を示すグラフである。
【図１２】本発明に実施形態における永久磁石の配置方法の別の態様を示す断面図である。
【図１３】本発明に実施形態における永久磁石の配置方法のさらに別の態様を示す断面図である。
【図１４】従来の耐震軸受の断面図である。
【図１５】従来の組合せ軸受の断面図である。
【図１６】従来の軸受の構成を示す平面図である。
【図１７】図１６のＥ−Ｅ線に沿う断面図である。
【図１８】従来の軸受の回転軸の変位量とばね反力との関係を示すグラフである。
【発明を実施するための形態】
【００２６】
次に、本発明に係る時計用軸受の実施形態を図１〜図１３に基づいて説明する。なお、本実施形態では、時計用軸受ユニットが腕時計などの携帯用の機械式時計に用いられる場合について説明する。
【００２７】
（機械式時計）
図１〜図３に示すように、機械式時計のムーブメント１００は、ムーブメント１００の基板を構成する地板１０２を有している。地板１０２の巻真案内穴１０２ａには、巻真１１０が回転可能に組み込まれている。文字板１０４（図２参照）はムーブメント１００に取り付けられる。一般に、地板１０２の両側のうち、文字板１０４が配される側をムーブメント１００の裏側と称し、文字板１０４が配される側の反対側をムーブメント１００の表側と称する。ムーブメント１００の表側に組み込まれる輪列を表輪列と称し、ムーブメント１００の裏側に組み込まれる輪列を裏輪列と称する。なお、ムーブメント１００にケーシング（不図示）を設けることにより携帯用時計として構成される。
【００２８】
おしどり１９０、かんぬき１９２、かんぬきばね１９４、裏押さえ１９６を含む切換装置により、巻真１１０の軸線方向の位置が決められている。きち車１１２は巻真１１０の案内軸部に回転可能に設けられている。巻真１１０が、回転軸線方向に沿ってムーブメント１００の内側に一番近い方の第１の巻真位置（０段目）にある状態で巻真１１０を回転させると、つづみ車の回転を介してきち車１１２が回転する。丸穴車１１４は、きち車１１２の回転により回転する。また、角穴車１１６は、丸穴車１１４の回転により回転する。角穴車１１６が回転することにより、香箱車１２０に収容されたぜんまい１２２（図２参照）を巻き上げる。
【００２９】
二番車１２４は、香箱車１２０の回転により回転する。がんぎ車１３０は、四番車１２８、三番車１２６、二番車１２４の回転を介して回転する。香箱車１２０、二番車１２４、三番車１２６、四番車１２８は表輪列を構成する。
【００３０】
表輪列の回転を制御するための脱進・調速装置は、テンプ１４０と、がんぎ車１３０と、アンクル１４２とを含む。二番車１２４の回転に基づいて、筒かな１５０（図２参照）が同時に回転する。筒かな１５０に取り付けられた分針１５２が「分」を表示する。筒かな１５０には、二番車１２４に対するスリップ機構が設けられている。筒かな１５０の回転に基づいて、日の裏車の回転を介して、筒車１５４が回転する。筒車１５４に取り付けられた時針１５６が「時」を表示する。
【００３１】
香箱車１２０は、香箱歯車１２０ｄと、香箱真１２０ｆと、ぜんまい１２２とを備えている。香箱真１２０ｆは、上軸部１２０ａと、下軸部１２０ｂとを含む。香箱真１２０ｆは、炭素鋼などの金属で形成されている。香箱歯車１２０ｄは黄銅などの金属で形成されている。
【００３２】
二番車１２４は、上軸部１２４ａと、下軸部１２４ｂと、かな部１２４ｃと、歯車部１２４ｄと、そろばん玉部１２４ｈとを含む。二番車１２４のかな部１２４ｃは香箱歯車１２０ｄと噛み合うように構成されている。上軸部１２４ａ、下軸部１２４ｂおよびそろばん玉部１２４ｈは、炭素鋼などの金属で形成されている。歯車部１２４ｄはニッケルなどの金属で形成されている。
【００３３】
三番車１２６は、上軸部１２６ａと、下軸部１２６ｂと、かな部１２６ｃと、歯車部１２６ｄとを含む。三番車１２６のかな部１２６ｃは歯車部１２４ｄと噛み合うように構成されている。
【００３４】
四番車１２８は、上軸部１２８ａと、下軸部１２８ｂと、かな部１２８ｃと、歯車部１２８ｄとを含む。四番車１２８のかな部１２８ｃは歯車部１２６ｄと噛み合うように構成されている。上軸部１２８ａと、下軸部１２８ｂは、炭素鋼などの金属で形成されている。歯車部１２８ｄはニッケルなどの金属で形成されている。
【００３５】
がんぎ車１３０は、上軸部１３０ａと、下軸部１３０ｂと、かな部１３０ｃと、歯車部１３０ｄとを含む。がんぎ車１３０のかな部１３０ｃは歯車部１２８ｄと噛み合うように構成されている。アンクル１４２は、アンクル体１４２ｄと、アンクル真１４２ｆと、を備えている。アンクル真１４２ｆは、上軸部１４２ａと、下軸部１４２ｂとを含む。
【００３６】
香箱車１２０は、地板１０２および香箱受１６０に対して回転可能に支持されている。すなわち、香箱真１２０ｆの上軸部１２０ａは、香箱受１６０に対して回転可能に支持される。香箱真１２０ｆの下軸部１２０ｂは、地板１０２に対して、回転可能に支持される。二番車１２４、三番車１２６、四番車１２８、がんぎ車１３０は、地板１０２および輪列受１６２に対して回転可能に支持されている。すなわち、二番車１２４の上軸部１２４ａ、三番車１２６の上軸部１２６ａ、四番車１２８の上軸部１２８ａ、がんぎ車１３０の上軸部１３０ａは、輪列受１６２に対して回転可能に支持される。また、二番車１２４の下軸部１２４ｂ、三番車１２６の下軸部１２６ｂ、四番車１２８の下軸部１２８ｂ、がんぎ車１３０の下軸部１３０ｂは、地板１０２に対して、回転可能に支持される。
【００３７】
アンクル１４２は、地板１０２およびアンクル受１６４に対して回転可能に支持されている。すなわち、アンクル１４２の上軸部１４２ａは、アンクル受１６４に対して回転可能に支持される。アンクル１４２の下軸部１４２ｂは、地板１０２に対して、回転可能に支持される。
【００３８】
香箱真１２０ｆの上軸部１２０ａを回転可能に支持する香箱受１６０の軸受部と、二番車１２４の上軸部１２４ａを回転可能に支持する輪列受１６２の軸受部と、三番車１２６の上軸部１２６ａを回転可能に支持する輪列受１６２の軸受部と、四番車１２８の上軸部１２８ａを回転可能に支持する輪列受１６２の軸受部と、がんぎ車１３０の上軸部１３０ａを回転可能に支持する輪列受１６２の軸受部と、アンクル１４２の上軸部１４２ａを回転可能に支持するアンクル受１６４の軸受部には、潤滑油が注油される。また、香箱真１２０ｆの下軸部１２０ｂを回転可能に支持する地板１０２の軸受部と、二番車１２４の下軸部１２４ｂを回転可能に支持する地板１０２の軸受部と、三番車１２６の下軸部１２６ｂを回転可能に支持する地板１０２の軸受部と、四番車１２８の下軸部１２８ｂを回転可能に支持する地板１０２の軸受部と、がんぎ車１３０の下軸部１３０ｂを回転可能に支持する地板１０２の軸受部と、アンクル１４２の下軸部１４２ｂを回転可能に支持する地板１０２の軸受部には、潤滑油が注油される。この潤滑油は、精密機械用油であるのが好ましく、いわゆる時計油であるのが特に好ましい。
【００３９】
地板１０２のそれぞれの軸受部、香箱受１６０の軸受部、輪列受１６２のそれぞれの軸受部には、潤滑油の保持性能を高めるために、円錐状、円筒状、または円錐台状の油溜め部を設けるのが好ましい。油溜め部を設けると、潤滑油の表面張力により油が拡散するのを効果的に阻止することができる。地板１０２、香箱受１６０、輪列受１６２、アンクル受１６４は、黄銅などの金属で形成してもよいし、ポリカーボネートなどの樹脂で形成してもよい。
【００４０】
（テンプの構造）
次に、本実施形態のテンプの構造について説明する。
図３に示すように、テンプ１４０は、てん真１４０ａおよびひげぜんまい１４０ｃを備えている。
【００４１】
ひげぜんまい１４０ｃは、複数の巻き数をもったうずまき状（螺旋状）の形態の薄板ばねである。ひげぜんまい１４０ｃの内端部は、てん真（軸本体部）１４０ａに固定されたひげ玉１４０ｄに固定され、ひげぜんまい１４０ｃの外端部は、テンプ受１６７に回転可能に取り付けられたひげ持受１７０に取り付けたひげ持１７０ａを介してねじ締めにより固定されている。軸受体１８１を内包した枠体１６６は、その外周部がテンプ受１６７に固定されている。また、緩急針１６８は、テンプ受１６７に回転可能に取り付けられている。さらに、テンプ１４０は、地板１０２およびテンプ受１６７に対して回転可能に支持されている。
【００４２】
ここで、テンプ１４０は、中心軸線Ｃに沿うように配された軸体１４３を軸中心に回転可能に構成されている。軸体１４３は、軸本体部として構成されるてん真１４０ａと、てん真１４０ａの軸方向両端に、てん真１４０ａよりも細い径で形成されたホゾ部１４４，１４５と、を備えている。図３では、下側のホゾ部１４４は地板１０２に対して回転可能に支持されており、上側のホゾ部１４５は、軸受体１８１に対して回転可能に支持されている。この軸体１４３、軸受体１８１および枠体１６６が、軸受１８０を構成している。
【００４３】
続いて、軸受についての第１の態様について説明する。
図４に示すように、軸受１８０は、中心軸線Ｃを中心に回転する軸体１４３の一方の端部であるホゾ部１４５側に設けられ、軸体１４３のスラスト方向（軸方向）およびラジアル方向（径方向）の移動を規制する軸受体１８１と、軸受体１８１を内包する磁性体で形成された枠体１６６と、を備えている。
【００４４】
ホゾ部１４５は、軸体１４３の一方端部に軸方向外側に向かって突出形成されており、てん真１４０ａよりも径が細くなった第１ホゾ部１４６と、第１ホゾ部１４６の軸方向外側端部から軸方向外側にさらに第１ホゾ部１４６よりも径が細く突出形成された第２ホゾ部１４８と、を備えている。つまり、てん真１４０ａと第１ホゾ部１４６との間には段差部１４９が形成されている。
【００４５】
軸受体１８１は、第２ホゾ部１４８が挿通される貫通孔１７２が形成された穴石１７１と、第２ホゾ部１４８の軸方向端面１４８ａと対向配置された受石１７３と、を備えている。
【００４６】
穴石１７１は、例えばルビーなどの透明材料で形成されており、平面視略中央に貫通孔１７２が形成された外形略円形の部材である。貫通孔１７２の内径は、軸体１４３の第２ホゾ部１４８が挿通可能な大きさで形成されている。また、穴石１７１は、その外周面１７１ａが穴石枠体１７４の内周面１７４ａに圧入固定される大きさで形成されている。
【００４７】
受石１７３は、例えばルビーなどで形成された平面視略円形の部材である。受石１７３は、穴石１７１の軸方向外側に配されており、その底面１７３ａにおける平面視略中央に軸体１４３の第２ホゾ部１４８の軸方向端面１４８ａが対向配置されるように構成されている。また、受石１７３は穴石枠体１７４に形成された切欠凹部１７４ｂに周縁部１７３ｂが載置されるように構成されている。つまり、受石１７３は、切欠凹部１７４ｂが形成された位置より穴石１７１側（軸方向内側）には移動できないように規制されている。なお、受石１７３の上面１７３ｃは、側面視で湾曲形成されている。
【００４８】
係止バネ１８２は、例えば金属で形成された板バネ部材で構成されている。係止バネ１８２は、穴石枠体１７４における受石１７３の軸方向外側に支持固定されている。係止バネ１８２は受石１７３（軸受体１８１）が軸方向外側方向移動しようとするのを規制する付勢力を有している。なお、軸受１８０に衝撃が加わっていない状態において、係止バネ１８２と受石１７３の上面１７３ｃとは当接されており、受石１７３の周縁部１７３ｂが切欠凹部１７４ｂに載置されている。
【００４９】
穴石枠体１７４は、例えば、鉄やニッケル合金などの磁性体で形成されており、軸方向に貫通孔１７７が形成された略円筒状に形成され、穴石１７１、受石１７３および係止バネ１８２を内包している。また、穴石枠体１７４における軸方向内側（軸体１４３が配された側）には、軸方向内側に向かって縮径されるテーパ部１７４ｃが周方向に沿って形成されており、穴石枠体１７４の底面１７４ｄにはホゾ部１４５が挿通される貫通孔１７４ｅが形成されている。さらに、穴石枠体１７４の内周面１７４ａには、周方向に沿って係止バネ１８２の周縁部が嵌合支持される溝部１７４ｆが全周に亘って形成されている。
【００５０】
ここで、係止バネ１８２の構成および穴石枠体１７４に係止バネ１８２を支持固定する構成について一例を用いて説明する。例えば、図５、図６に示すように、係止バネ１８２は、受石１７３の上面１７３ｃに略当接される内輪部１８２ａと、内輪部１８２ａから径方向外方へ向かって放射状に複数形成されたバネ部１８２ｂと、を備えている。図５、図６では、バネ部１８２ｂが周方向に略等間隔に３箇所形成されている。また、穴石枠体１７４の一方の面１７４ｇには係止バネ１８２のバネ部１８２ｂの先端を挿通可能な切欠部１７４ｈがバネ部１８２ｂの形状に合わせて複数形成されている。さらに、穴石枠体１７４の内周面１７４ａには、周方向に沿ってバネ部１８２ｂの先端が嵌合支持される溝部１７４ｆが全周に亘って形成されている。そして、切欠部１７４ｈと溝部１７４ｆとは、繋がっている。つまり、バネ部１８２ｂの先端を切欠部１７４ｈの位置に合わせて挿通させることにより、バネ部１８２ｂの先端を溝部１７４ｆに配することができ、その状態で係止バネ１８２を穴石枠体１７４に対して周方向に回転させてバネ部１８２ｂの先端を溝部１７４ｆに支持固定することにより、係止バネ１８２のバネ部１８２ｂを穴石枠体１７４に支持固定することができるようになっている。
【００５１】
図４に戻り、枠体１６６は、例えば、鉄やニッケル合金などの磁性体で形成されており、軸方向に貫通孔１８８が形成された略円筒状に形成され、軸受体１８１を内包している。また、枠体１６６における軸方向内側（軸体１４３が配された側）には、軸方向内側に向かって縮径されるテーパ部１６６ｃが形成されており、枠体１６６の底面１６６ｄにはホゾ部１４５が挿通される貫通孔１６６ｅが形成されている。さらに、枠体１６６の内周面１６６ａと、穴石枠体１７４の外周面１７４ｉとの間には隙間が形成されるように貫通孔１８８の径方向長さが設定されている。つまり、枠体１６６に対して穴石枠体１７４がラジアル方向およびスラスト方向に移動できるように構成されている。
【００５２】
そして、軸受１８０に外部からの衝撃が加わっていない状態において、枠体１６６の底面１６６ｄと軸体１４３の段差部１４９との間には隙間ｄ１が形成されている。隙間ｄ１を形成することにより、軸受１８０に外部からの衝撃が加わった場合に、軸体１４３は隙間ｄ１分だけ軸方向外側に移動できるようになっている。
【００５３】
ここで、図４に示すように、枠体１６６のテーパ部１６６ｃにおける穴石枠体１７４に対向する位置に凹陥部１６６ｋが周方向に沿って形成されており、この凹陥部１６６ｋには永久磁石１７６が設けられている。永久磁石１７６は、軸方向外側にＮ極、軸方向内側にＳ極が位置するように配されており、凹陥部１６６ｋ内に支持固定されている。つまり、永久磁石１７６のＮ極が穴石枠体１７４に対向するように配されている。
【００５４】
上述のように構成された軸受１８０は、軸体１４３（ホゾ部１４５）が軸受体１８１に支持されつつ、中心軸線Ｃを中心に回転している。ここで、枠体１６６に永久磁石１７６が配されているため、永久磁石１７６と穴石枠体１７４との間に磁束の流れ（図４の矢印Ｂ）が生じる。この永久磁石１７６が軸体１４３（ホゾ部１４５）の周方向に沿って略均等に配されることにより、ホゾ部１４５の軸中心と穴石１７１の軸中心とを略一致させることができる。
【００５５】
また、図７に示すように、永久磁石１７６を配することにより、穴石枠体１７４が変位していない状態（軸受１８０に外力が印加していない状態）において、永久磁石１７６と穴石枠体１７４との間には磁気吸引力Ｐ０´が働いている。この状態から軸受１８０に外力が加わるなどして軸体１４３の位置が変位することで、穴石枠体１７４（軸受体１８１）が枠体１６６に対してラジアル方向およびスラスト方向に移動する。すると、永久磁石１７６と穴石枠体１７４との間に働く吸引力は小さくなっていく。そして、軸体１４３の変位量が大きくなると、軸体１４３の段差部１４９が枠体１６６の底面１６６ｄに当接することにより、軸体１４３のスラスト方向の移動が規制され、穴石枠体１７４の変位も規制される。軸体１４３の段差部１４９が枠体１６６の底面１６６ｄに当接したときの磁気吸引力をＰ１´とすると、Ｐ１´は必然的にホゾ破損強度Ｐ２よりも小さくなる。また、軸受１８０は、図７に示すような特性を有するため、Ｐ０´をホゾ破損強度Ｐ２よりも小さく、従来のＰ０よりも大きい値で設定することができる。なお、軸受１８０に印加していた外力が無くなった場合は、枠体１６６および穴石枠体１７４に形成されたテーパ部および永久磁石１７６の磁気吸引力によりスムーズに元の位置に戻る。
【００５６】
本実施形態によれば、軸受１８０に外力が加わっていない状態では永久磁石１７６の磁気吸引力Ｐ０´が作用し、外力が加わって軸体１４３（穴石枠体１７４）が移動するにつれて吸引力は徐々に小さくなる。したがって、初期値である磁気吸引力Ｐ０´を従来よりも大きく設定することができる。結果として、少しの外力が加わっただけで穴石枠体１７４（軸受体１８１）が移動してしまうのを防ぐことができる。また、軸体１４３に段差部１４９を形成し、この段差部１４９が枠体１６６の底面１６６ｄに当接することで、軸体１４３の軸方向への移動を規制しているため、ホゾ部１４５が破損する外力Ｐ２が加わる前に軸受体１８１の移動量を規制するができる。したがって、計時精度を向上することができる。
【００５７】
続いて、上記実施形態で説明した軸受の第２の態様（軸受２８０）について説明する。なお、第２の態様については、第１の態様と穴石枠体および枠体の構成が異なるのみであるため、構成の異なる箇所を主に説明する。
図８、図９に示すように、穴石枠体２７４は、例えば、鉄やニッケル合金などの磁性体で形成されており、軸方向に貫通孔２７７が形成された略円筒状に形成され、穴石１７１、受石１７３および係止バネ１８２を内包している。また、穴石枠体２７４における軸方向内側（軸体１４３が配された側）には、軸方向内側に向かって縮径されるテーパ部２７４ｃが形成されており、穴石枠体２７４の底面２７４ｄにはホゾ部１４５が挿通される貫通孔２７４ｅが形成されている。さらに、穴石枠体２７４の内周面２７４ａには、周方向に沿って係止バネ１８２の周縁部が嵌合支持される溝部２７４ｆが全周に亘って形成されている。そして、穴石枠体２７４の外周面２７４ｉには、径方向外側に突出形成された係止突起２７４ｊが形成されている。図８、図９では、係止突起２７４ｊが周方向に略等間隔に３箇所形成されている。
【００５８】
枠体２６６は、例えば、鉄やニッケル合金などの磁性体で形成されており、軸方向に貫通孔２８８が形成された略円筒状に形成され、軸受体１８１を内包している。また、枠体２６６における軸方向内側（軸体１４３が配された側）には、軸方向内側に向かって縮径されるテーパ部２６６ｃが形成されており、枠体２６６の底面２６６ｄにはホゾ部１４５が挿通される貫通孔２６６ｅが形成されている。さらに、枠体２６６の内周面２６６ａと、穴石枠体２７４の外周面２７４ｉとの間には隙間が形成されるように貫通孔２８８の径方向長さが設定されている。つまり、枠体２６６に対して穴石枠体２７４がラジアル方向およびスラスト方向に移動できるように構成されている。
【００５９】
また、枠体２６６の一方の面２６６ｇには穴石枠体２７４の係止突起２７４ｊの先端を挿通可能な切欠部２６６ｈが係止突起２７４ｊの形状に合わせて複数形成されている。さらに、枠体２６６の内周面２６６ａには、周方向に沿って係止突起２７４ｊの先端が支持される溝部２６６ｆが全周に亘って形成されている。そして、切欠部２６６ｈと溝部２６６ｆとは、繋がっている。つまり、係止突起２７４ｊの先端を切欠部２６６ｈの位置に合わせて挿通させることにより、係止突起２７４ｊの先端を溝部２６６ｆに配することができ、その状態で穴石枠体２７４を枠体２６６に対して周方向に回転させて係止突起２７４ｊの先端を溝部２６６ｆに支持固定することにより、穴石枠体２７４の係止突起２７４ｊを枠体２６６に支持することができるようになっている。なお、溝部２６６ｆは係止突起２７４ｊよりもラジアル方向およびスラスト方向に若干大きく形成されている。つまり、穴石枠体２７４が枠体２６６に対してラジアル方向およびスラスト方向に移動するのを許容しているとともに、穴石枠体２７４が枠体２６６に対して所定量以上移動しないように構成されている。
【００６０】
ここで、図９に示すように、枠体２６６のテーパ部２６６ｃにおける穴石枠体２７４に対向する位置に凹陥部２６６ｋが周方向に沿って形成されており、この凹陥部２６６ｋには永久磁石１７６が設けられている。永久磁石１７６は、軸方向外側にＮ極、軸方向内側にＳ極が位置するように配されており、凹陥部２６６ｋ内に支持固定されている。つまり、永久磁石１７６のＮ極が穴石枠体２７４に対向するように配されている。
【００６１】
上述のように構成された軸受２８０は、軸体１４３（ホゾ部１４５）が軸受体１８１に支持されつつ、中心軸線Ｃを中心に回転している。ここで、枠体２６６に永久磁石１７６が配されているため、永久磁石１７６と穴石枠体２７４との間に磁束の流れ（図４の矢印Ｂ）が生じる。この永久磁石１７６が軸体１４３（ホゾ部１４５）の周方向に沿って略均等に配されることにより、ホゾ部１４５の軸中心と穴石１７１の軸中心とを略一致させることができる。
【００６２】
また、図７に示すように、永久磁石１７６を配することにより、穴石枠体２７４が変位していない状態（軸受２８０に外力が印加していない状態）において、永久磁石１７６と穴石枠体２７４との間には磁気吸引力Ｐ０´が働いている。この状態から軸受２８０に外力が加わるなどして軸体１４３の位置が変位することで、穴石枠体２７４（軸受体１８１）が枠体２６６に対してラジアル方向およびスラスト方向に移動する。すると、永久磁石１７６と穴石枠体２７４との間に働く吸引力は小さくなっていく。そして、軸体１４３の変位量が大きくなると、軸体１４３の段差部１４９が枠体２６６の底面２６６ｄに当接することにより、軸体１４３のスラスト方向の移動が規制される。さらに、穴石枠体１７４の係止突起２７４ｊが枠体２６６の溝部２６６ｆの径方向外側端面や軸方向外側端面に当接することにより、枠体２６６に対する穴石枠体２７４の変位も規制される。軸体１４３の段差部１４９が枠体２６６の底面２６６ｄに当接したときの磁気吸引力をＰ１´とすると、Ｐ１´は必然的にホゾ破損強度Ｐ２よりも小さくなる。また、軸受２８０は、図７に示すような特性を有するため、Ｐ０´をホゾ破損強度Ｐ２よりも小さく、従来のＰ０よりも大きい値で設定することができる。
【００６３】
続いて、上記実施形態で説明した軸受の第３の態様（軸受３８０）について説明する。なお、第３の態様については、第１の態様と枠体の構成が異なるのみであるため、構成の異なる箇所を主に説明する。
図１０に示すように、枠体３６６は、例えば、鉄やニッケル合金などの磁性体で形成されており、軸方向に貫通孔３８８が形成された略円筒状に形成され、軸受体１８１を内包している。また、枠体３６６における軸方向内側（軸体１４３が配された側）には、軸方向内側に向かって縮径されるテーパ部３６６ｃが形成されており、枠体３６６の底面３６６ｄにはホゾ部１４５が挿通される貫通孔３６６ｅが形成されている。さらに、枠体３６６の内周面３６６ａと、穴石枠体１７４の外周面１７４ｉとの間には隙間が形成されるように貫通孔３８８の径方向長さが設定されている。つまり、枠体３６６に対して穴石枠体１７４がラジアル方向およびスラスト方向に移動できるように構成されている。また、枠内３６６の貫通孔３８８内における軸方向外側には軸受体１８１に対して付勢力を有する押えバネ３８２が設けられている。なお、押えバネ３８２の構成および枠体３６６に押えバネ３８２を支持固定する構成については、上述した係止バネ１８２の構成および穴石枠体１７４に係止バネ１８２を支持固定する構成と略同一である。
【００６４】
ここで、枠体３６６のテーパ部３６６ｃにおける穴石枠体１７４に対向する位置に凹陥部３６６ｋが周方向に沿って形成されており、この凹陥部３６６ｋには永久磁石１７６が設けられている。永久磁石１７６は、軸方向外側にＮ極、軸方向内側にＳ極が位置するように配されており、凹陥部３６６ｋ内に支持固定されている。つまり、永久磁石１７６のＮ極が穴石枠体１７４に対向するように配されている。
【００６５】
上述のように構成された軸受３８０は、軸体１４３（ホゾ部１４５）が軸受体１８１に支持されつつ、中心軸線Ｃを中心に回転している。ここで、枠体３６６に永久磁石１７６が配されているため、永久磁石１７６と穴石枠体１７４との間に磁束の流れ（図４の矢印Ｂ）が生じる。この永久磁石１７６が軸体１４３（ホゾ部１４５）の周方向に沿って略均等に配されることにより、ホゾ部１４５の軸中心と穴石１７１の軸中心とを略一致させることができる。
【００６６】
また、図１１に示すように、永久磁石１７６を配することにより、穴石枠体１７４が変位していない状態（軸受３８０に外力が印加していない状態）において、永久磁石１７６と穴石枠体１７４との間には磁気吸引力Ｐ０´が働いている。さらに、穴石枠体１７４には押えバネ３８２のばね反力Ｐ０が印加されている。つまり、Ｐ０”（＝Ｐ０＋Ｐ０´）の力が働いている。この状態から軸受３８０に外力が加わるなどして軸体１４３の位置が変位することで、穴石枠体１７４（軸受体１８１）が枠体３６６に対してラジアル方向およびスラスト方向に移動する。すると、永久磁石１７６と穴石枠体１７４との間に働く吸引力は小さくなっていくとともに、押えバネ３８２により穴石枠体１７４にかかるばね反力は大きくなっていく。つまり、図１１の実線で示すように、軸体１４３が変位する際に加わる力は、磁気吸引力とばね反力との合計値となり、最大値と最小値との差が小さい合成力を得ることができる。そして、軸体１４３の変位量が大きくなると、軸体１４３の段差部１４９が枠体３６６の底面３６６ｄに当接することにより、軸体１４３のスラスト方向の移動が規制され、穴石枠体１７４の変位も規制される。軸体１４３の段差部１４９が枠体１６６の底面１６６ｄに当接したときの磁気吸引力をＰ１”とすると、Ｐ１”は容易にホゾ破損強度Ｐ２よりも小さく設定することができる。つまり、軸受３８０は、図１１に示すような特性を有するため、Ｐ０”をホゾ破損強度Ｐ２よりも小さく、従来のＰ０よりも大きい値で設定することができる。
【００６７】
尚、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
【００６８】
例えば、上記実施形態では、ホゾ部１４５側に軸受１８０を設けた場合の説明をしたが、ホゾ部１４４側に軸受１８０を配する構成にしてもよい。
【００６９】
また、上記実施形態では、永久磁石１７６は軸方向外側にＮ極、軸方向内側にＳ極が位置するように配した場合の説明をしたが、例えば、図１２に示すように枠体１６６のテーパ部１６６ｃの斜面に平行になるように凹陥部１６６ｋを形成し、穴石枠体１７４のテーパ部１７４ｃに対向するように永久磁石１７６を配置してもよい。
【００７０】
また、上記実施形態では、永久磁石１７６は軸方向外側にＮ極、軸方向内側にＳ極が位置するように配した場合の説明をしたが、例えば、図１３に示すように径方向内側にＮ極、径方向外側にＳ極が位置するように永久磁石１７６を配置してもよい。また、永久磁石のＮ極、Ｓ極の位置は逆になっていてもよい。
【００７１】
さらに、上記実施形態では、穴石枠体２７４に係止突起２７４ｊを形成し、枠体２６６に溝部２６６ｆを形成した場合の説明をしたが、枠体に係止突起を形成し、穴石枠体に溝部を形成してもよい。
【００７２】
そして、上記実施形態では、テンプ１４０に配する軸受として上記構成の軸受１８０を採用した場合の説明をしたが、テンプ１４０以外にも、香箱車１２０、二番車１２４、三番車１２６、四番車１２８、がんぎ車１３０およびアンクル１４２の軸受として上記構成の軸受１８０を採用してもよい。
【符号の説明】
【００７３】
１００…ムーブメント  １２０…香箱車（香箱）  １２４…二番車（番車）  １２６…三番車（番車）  １２８…四番車（番車）  １３０…がんぎ車  １４０…テンプ  １４０ａ…てん真（軸本体部）  １４２…アンクル  １４３…軸体  １４５…ホゾ部  １４８ａ…端面（軸方向端面）  １６６…枠体  １６６ｅ…貫通孔  １７１…穴石  １７２…貫通孔  １７３…受石  １７４…穴石枠体  １７６…永久磁石  １８０…軸受（時計用軸受）  １８１…軸受体  １８２…係止バネ  ２６６…枠体  ２６６ｆ…溝部（係止凹部）  ２７４…穴石枠体  ２７４ｊ…係止突起  ３６６…枠体  ３８２…押えバネ（弾性部材）  Ｃ…中心軸線（軸中心）
【図１】
2011185673.tif 000003
【図２】
2011185673.tif 000004
【図３】
2011185673.tif 000005
【図４】
2011185673.tif 000006
【図５】
2011185673.tif 000007
【図６】
2011185673.tif 000008
【図７】
2011185673.tif 000009
【図８】
2011185673.tif 000010
【図９】
2011185673.tif 000011
【図１０】
2011185673.tif 000012
【図１１】
2011185673.tif 000013
【図１２】
2011185673.tif 000014
【図１３】
2011185673.tif 000015
【図１４】
2011185673.tif 000016
【図１５】
2011185673.tif 000017
【図１６】
2011185673.tif 000018
【図１７】
2011185673.tif 000019
【図１８】
2011185673.tif 000020